(57)【特許請求の範囲】
【請求項１】
左右の側壁と、左右の側壁よりも低い位置で上記左右の側壁の上端部の間を連結し、その上に細長い靴底拭い体を支持する上壁と、上記左右の側壁の上端から対向して突出し、上壁がその上に支持した靴底拭い体の両側部を保持する一対の保持部とを一体に備えた本体からなり、上壁上に靴底拭い体を保持した上記本体を狭い間隔を保ち、平行な配列状態に連結して床などの上に置く簀の子形床マットの棧部材において、上記本体に、細長い靴底拭い体が靴底から拭い取った水を靴底拭い体の裏から上壁を通じ床などに排水する排水手段を設けたことを特徴とする簀の子形床マットの棧部材。
【請求項２】
請求項１に記載の簀の子形床マットの棧部材において、排水手段は、本体の上壁の左右の少なくとも一側とこれに連結した側壁との間に設けられ、上壁上から水が流れ込む長手方向の排水溝と、上記側壁や排水溝の底に設けられ、上記排水溝に流入した水を床などに排水する排水口とからなることを特徴とする簀の子形床マットの棧部材。
【請求項３】
請求項１に記載の簀の子形床マットの棧部材において、排水手段は、本体の上壁に独立して設けられた長手方向の排水溝と、上記排水溝の側壁や底に設けられ、排水溝に流入した水を床などに排水する排水口とからなることを特徴とする簀の子形床マットの棧部材。
【請求項４】
請求項１に記載の簀の子形床マットの棧部材において、排水手段は、本体の上壁に設けられ、上壁上の水を床などに排水する一列又は複数列の排水口の列からなることを特徴とする簀の子形床マットの棧部材。
【請求項５】
請求項１から４のどれか１項に記載の簀の子形床マットの棧部材において、上壁に小径の水抜き孔を点在して設けたことを特徴とする簀の子形床マットの棧部材。
【請求項６】
請求項１から５のどれか１項に記載の簀の子形床マットの棧部材において、本体に、左右の側壁の下端部の間を連結する底壁を設け、底壁の上に流れ落ちた水の排水手段として底壁や側壁の下端部に、床などに排水する第２の排水口を設けたことを特徴とする簀の子形床マットの棧部材。
【請求項７】
左右の側壁と、左右の側壁よりも低い位置で上記左右の側壁の上端部の間を連結し、その上に細長い靴底拭い体を支持する上壁と、左右の側壁の下端部の間を連結する底壁と、上記左右の側壁の上端から対向して突出し、上壁がその上に支持した細長い靴底拭い体の両側部を保持する一対の保持部とを一体に備えた本体からなり、上壁上に靴底拭い体を保持した上記本体を狭い間隔を保ち平行な配列状態に連結して床に置く簀の子形床マットの棧部材において、上記本体の上壁に長手方向に設けられて底壁を底とする長手方向の排水溝と、その底に設けられ、上記排水溝に流入した水を床などに排水する排水口とからなる排水手段を設けたことを特徴とする簀の子形床マットの棧部材。
【請求項８】
請求項７に記載の簀の子形床マットの棧部材において、上壁に小径の水抜き孔を点在して設けると共に、上記水抜き孔から底壁の上に流れ落ちた水を床などに排水する第２の排水口を底壁や側壁の下端部に設けたことを特徴とする簀の子形床マットの棧部材。
【請求項９】
請求項１から８のどれか１項に記載の簀の子形床マットの棧部材において、本体の上壁の左右から上に突出し、靴底細長い靴底拭い体の両側部を保持する一対の保持部を構成する左右の側壁の上部の少なくとも一方に上壁上の水を床などに排水する排水口を長手方向に点在して設けたことを特徴とする簀の子形床マットの棧部材。
【請求項１０】
請求項１から９のどれか１項に記載の簀の子形床マットの棧部材において、靴底拭帯を支持する上壁の少なくとも上面を凸凹にしたことを特徴とする簀の子形床マットの棧部材。
【請求項１１】
請求項１から９のどれか１項に記載の簀の子形床マットの棧部材において、細長く、可撓性がある靴底拭い体を上向きに凸のアーチ形に湾曲させるため、その幅を、本体の上壁の幅より広くしたことを特徴とする簀の子形床マットの棧部材。
【請求項１２】
請求項１から９のどれか１項に記載の簀の子形床マットの棧部材において、細長い靴底拭い体を支持する上壁の上面を上向きに凸のアーチ形にしたことを特徴とする簀の子形床マットの棧部材。
【請求項１３】
請求項１から１２のどれか１項に記載の簀の子形床マットの棧部材において、細長い靴底拭い体のブラシや絨毯などの靴底拭い材の下部を取付けた不透水質の下層に上下方向の貫通孔を点在して設けたことを特徴とする簀の子形床マットの棧部材。
【請求項１４】
請求項１から１２のどれか１項に記載の簀の子形床マットの棧部材において、ゴム、スポンジ、木片などの不透水質の材料で成形された細長い靴底拭い体の上面に、山と谷が幅方向に連続した複数の列を長手方向に設けたことを特徴とする簀の子形床マットの棧部材。
【請求項１５】
請求項１４に記載の簀の子形床マットの棧部材において、細長い靴底拭い体の上記複数の山と谷の列を横切る幅方向の溝を設けたことを特徴とする簀の子形床マットの棧部材。
【請求項１６】
請求項１４と１５のどれか１項に記載の簀の子形床マットの棧部材において、細長い靴底拭い体に上下方向の貫通孔を点在して設けたことを特徴とする簀の子形床マットの棧部材。
【請求項１７】
請求項１４から１６のどれか１項に記載の簀の子形床マットの棧部材において、細長い靴底拭い体の下面にトンネル形の溝を長手方向に設けたことを特徴とする簀の子形床マットの棧部材。
【請求項１８】
請求項１６と１７のどれか１項に記載の簀の子形床マットにおいて、細長い靴底拭い体に設けた上下方向の貫通孔の下端を下面のトンネル形の溝に連通させたことを特徴とする簀の子形床マットの棧部材。
【発明の詳細な説明】
【０００１】
【発明の属する技術分野】
この発明は、狭い間隔で平行に配列された複数本の棧部材を有し、建物の入口の床に置いたり、その床に設けた窪みの中に嵌め入れ、建物に入る人の靴で踏まれて靴底に付着する泥、砂埃などを含んだ汚れた水や雪などを上記棧部材で拭い取って床や窪みの中（本書では床などと記す。）に排水したり、プールサイド、ベランダ、浴室などの床に置き、水などを床に排水し、床を掃除する際には撤去可能な簀の子形床マットの棧部材に関する。
【０００２】
【従来の技術】
本特許出願人は、特願２００１−３２１３５号、同３２１３６号によって、図９に示すように左右の両側壁１０１，１０１に背中合わせのＣ形断面の係合溝１０２を有する棧部材１００と、上記２つの棧部材の相対向した側壁にある係合溝１０２，１０２に矢印ａのようにスライドして回動可能に嵌合する係合凸部１０３’，１０３’を両側に有する板状連結部材１０３とをアルミなどの金属やプラスチックで成形し、狭い間隔で平行に配列した多数本の棧部材１００・・・の隣接した２本宛を上記板状連結部材１０３で連結し、靴で踏まれた棧部材が靴底から除去した汚れた水を板状連結部材に開設した開口部１０４から床などに排水するようにした簀の子形床マットを提案した。
【０００３】
又、本特許出願人は、特願２００２−５７５５５号によって、図１０に示すように、左右の側壁１０１，１０１を有し、狭い間隔を保って平行に配列された多数本のアルミなどの金属やプラスチックで成形した棧部材１００・・・を、上記棧部材の平行な列の下を前後、更には中間で横切るプラスチックで成形した数本の連結帯材１０５で連結し、靴で踏まれた棧部材が靴底から拭い取った汚れた水を棧部材の隣接間隔から床などに排水するようにした簀の子形床マットも提案した。この場合、棧部材の両側壁１０１，１０１に係合溝１０２，１０２を設け、連結帯材１０５には隣接した２本宛の棧部材の対向した側壁の係合溝に係合する逆Ｊ字形の一対宛の係合爪１０５’，１０５’が背中合せに設けてある。
【０００４】
更に、図１１に示すように、平行に配列した多数本の棧部材１００の前後、更には中間に、列を横切る方向にボルト１０６を貫通し、隣接した棧部材間の間隔を上記ボルトに嵌めた金属のワッシヤーや弾性スぺーサー１０７で保ち、ボルト１０６の両端にナット１０７をねじ込んで棧部材の配列を締付けて構成し、棧部材の間隔から床に排水するようにた簀の子形床マットも公知である。尚、この場合、ボルトの代わりに太いワイヤーを使用する場合もあり、そのときはワイヤーの両端にねじで固定したストッパーにより棧部材の配列を締付けている。
【０００５】
尚、１１１は図９の板状連結部材１０３や、図９、図１０、図１１の棧部材の上壁上にスライドして嵌めた細長い靴底拭い体１１０が棧部材から抜け出るのを防ぐため、棧部材の両端に取付けた端面板で、端面板は棧部材の両側壁の係合溝１０２（図９）、（図１０）にねじ込んだタッピングねじ１１２や、図１１の場合は、例えば接着、その他の適宜な固定手段で固定してある。
【０００６】
【発明が解決しようとする課題】
上記各床マットの棧部材は、靴底に付着した汚れた水が室内に持ち込まれないように、上面に長手方向の凹凸条を交互に一体に成形したり、或いは上壁上に分厚なスポンジやゴムなどの弾性帯や、ブラシを植え立てたブラシ帯、絨緞の帯などの細長い靴底拭い体１１０をスライドして嵌め、靴底の汚れた水を取り除いているが、雨や雪が降るなかを歩いて濡れた靴底や、水溜まりを歩いて濡れた靴底には多量の汚れた水分が付着しているので、棧部材から速やかに排水しないと棧部材の上壁上や、靴拭い帯に次第に溜まり、それを踏んだ靴底に汚れた水が逆に多く付着し、その靴底で床を歩かれると床に靴跡が付いて余計に汚れると共に、スリップして転倒する危険もある。従来の棧部材は上壁や、その上に取付けた細長い靴底拭い体が拭い取った汚れた水をその上面の両側縁からオーバーフローさせるだけで、床などに排水する積極的な排水機構を備えていないため、上述したような問題が生じる。
【０００７】
【課題を解決するための手段】
そこで本発明は、細長い靴底拭い体が靴底から拭い取った水を棧部材の本体から床などに積極的に排水するようにしたもので、請求項１は、左右の側壁と、左右の側壁よりも低い位置で上記左右の側壁の上端部の間を連結し、その上に細長い靴底拭い体を支持する上壁と、上記左右の側壁の上端から対向して突出し、上壁がその上に支持した靴底拭い体の両側部を保持する一対の保持部とを一体に備えた本体からなり、上壁上に細長い靴底拭い体を保持した上記本体を狭い間隔を保ち、平行な配列状態に連結して床に置く簀の子形床マットの棧部材において、上記本体に、靴底拭い体が靴底から拭い取った水を靴底拭い体の裏から上壁を通じ床に排水する排水手段を設けたことを特徴とする。排水手段は、本体の上壁の少なくとも一側とこれに連結した側壁との間に設けられ、上壁上から水が流れ込む長手方向の排水溝と、上記側壁、又は上記排水溝の底に設けられ、排水溝に流入した水を床などに排水する排水口であっても、本体の上壁に独立して設けられた長手方向の排水溝と、上記排水溝の底に設けられ、排水溝に流入した水を床などに排水する排水口であっても、本体の上壁に設けられ、上壁上の水を床などに排水する一列又は複数列の排水口の列であってもよい。そして、上壁に、排水溝や排水口の列のほかに小径の水抜き孔を点在して設けてもよい。又、本体に、左右の側壁の下端部の間を連結する底壁を設け、底壁の上に流れ落ちた水の排水手段として底壁や、左右の側壁の下端部に、床などに排水する第２の排水口を設けてもよい。更に、排水手段は、本体の上壁に長手方向に設けられて底壁を底とする長手方向の排水溝と、その底に設けられ、上記排水溝に流入した水を床などに排水する排水口で構成してもよい。この場合も上壁に小径の水抜き孔を点在して設けると共に、上記水抜き孔から底壁の上に流れ落ちた水を床に排水する第２の排水口を底壁や、両側壁の下端部に設けてもよい。更に、本体の上壁の左右から上に突出し、細長い靴底拭い体の両側部を保持する一対の保持部を構成する左右の側壁の上部の少なくとも一方に、上壁上の水を床などに排水する排水口を長手方向に点在して設けてもい。そして、どの簀の子形床マットの棧部材も、細長い靴底拭い体を支持する上壁の、少なくとも上面を凸凹にしたり、細長く、可撓性がある靴底拭い体を上向きに凸のアーチ形に湾曲させるため、その幅を、本体の上壁の幅より広くしたり、細長い靴底拭い体を支持する上壁の上面を上向きに凸のアーチ形にしてもよい。更に、細長い靴底拭い体のブラシや絨毯などの靴底拭い材の下部を取付けた不透水質の下層に上下方向の貫通孔を点在して設けることが好ましい。又、ゴム、スポンジ、木片などの不透水質の材料で成形された細長い靴底拭い体の上面に、山と谷が幅方向連続した複数の列を長手方向に設けたり、その山と谷の列を横切る幅方向の溝を長手方向に間隔を保って設けたり、そのほかに、上下方向の貫通孔を点在して設けたり、細長い靴底拭い体の下面にトンネル形の溝を長手方向に設けてもよく、この場合、上下方向の貫通孔の下端はトンネル形の溝に連通していることが好ましい。
【０００８】
【発明の実施の形態】
図示の実施例において、１０はアルミなどの金属やプラスチックで押出成形した棧部材の本体で、左右の側壁１１，１１と、左右の側壁の上端よりも少し低い位置で上記左右の側壁の上端部の間を連結し、その上に細長い靴底拭い体３０を支持する上壁１２と、上記左右の側壁の上端から対向して突出し、上壁がその上に支持した細長い靴底拭い体の両側部３０’，３０’を保持する一対の保持部１３，１３とを一体に備えている。左右の側壁には、従来の技術で述べた板状連結部材１０３の両側の係合凸部が嵌合したり（図１Ｂ，Ｃ参照）、連結帯材１０５の逆Ｊ字形の係合爪が係合したり（図２Ａ参照）する係合溝１１’，１１’を長手方向に設けてもよい。又、必要に応じ左右の側壁の下端部の間を連結する底壁１４を設けてもよい。そして、後述のように底壁に設けた第２の排水口から排水する際は、底壁を床や、床に設けた窪みの底から上に離して排水できるようにするため、下向きのスペーサ１５を底壁の両側に設けた孔や溝に嵌めて長手方向の全長や所々に取付けることが好ましい。スペーサは滑り止め作用とクッション作用とを兼用させるためゴム製にするとよい。このスペーサは底壁から排水しない場合でも、滑り止め作用と、クッション作用を持たせるため底壁の両側や、底壁を備えていないときでも図４（Ａ）に示すように両側壁の下端に取り付けておくことが好ましい。
【０００９】
この発明で使用する細長い靴底拭い体３０は、その上を踏んだ靴底から拭った汚れた水を裏面（下面）に導き、細長い靴底拭い体を支持する上壁１２から床などに直接、排水したり、本体の側壁１１，１１や底壁１４に設けた排水口から床などに排水できることが必要である。しかし、細長い靴底拭い体が、図８（Ａ），（Ｂ）に示すように、塩化ビニール、ネオプレン、ゴムなどの不透水材質の下層３１にブラシや絨緞などの靴底拭い部材３２の下部が植えて取り付けられている帯状の場合、水分は下層３１に遮断されて裏面に充分に導かれないため、下層３１に幅方向に１列又は複数列の上下方向の貫通孔３３を長手方向に所定の間隔を保って開設しておく。殊に、靴底拭い部材３２がブラシの場合、ブラシは下層３１に長手方向に複数列で植えられていたり、点在して植えられているため、図８（Ｂ）に示すように、下層３１の、ブラシが植えられていない位置に貫通孔３３を開設する。又、表面（上面）が幅方向に凹凸したゴム、スポンジ、木片などの不透水質の材料で一体に成形されたブロック状の細長い靴底拭い体３０の場合は、図８（Ｃ）に示すように一列又は複数列の上下方向の貫通孔３３を、長手方向に所定の間隔を保って開設したり、下面に導かれた水を導く一列又は複数列の通水用のトンネル形の溝３４を設けたり、又は、図８（Ｄ）に示したように、上面に、山と谷が幅方向に連続した複数の列３５を長手方向に設けた細長い靴底拭い体の場合は、谷を流れる水を両側から下面に導くために、山と谷の列を横切る幅方向の溝３６を設けておくとよい。また。前記上下方向の貫通孔３３の下端はトンネル形の溝３４に連通させておくことが好ましい。尚、細長い靴底拭い体が図５（Ｂ）に示すように通水性のスポンジで成形されていると、靴で踏まれたとき潰れて水を搾りだすので貫通孔などを設ける必要はない。
【００１０】
図１はこの発明による棧部材の第１実施例、図２の（Ａ），（Ｂ），（Ｃ）は図１の一部を変形した第２、第３、第４の実施例であって、ともに左右の側壁１１，１１、と上壁１２とを有し、上壁１２の左右両側を一段下げて左右の側壁１１，１１と連結し、これにより上壁と左右の側壁との間に上壁を下げた左右の排水溝１６，１６を長手方向に形成してある。
【００１１】
そして、図１の実施例では左右の側壁１１，１１に、上記排水溝１６，１６の底の上に位置して長手方向に点在する排水口１７を設け、排水溝１６，１６に入った水を側壁から床などに排水するようになっている。各排水溝１６の底は排水口１７に向かって下り傾斜にし、排水を促進するようにしてもよい。
従って、図１（Ｃ）に示すように靴底で踏まれると、靴底拭い部材３２は靴底の水分を拭い取ると共に、木片製のものを除き、靴底で踏まれて水分を細長い靴底拭い体の貫通孔から裏に抜く。この水は、上壁の上面を伝って左右の排水溝１６に流れ込み、側壁の排水口１７から排出される。排出された水は、例えば板状連結部材１０３の開口部１０４や、棧部材の隣接間隔から床ないし、床に設けた窪みの底などに落ち、窪みの底に落ちた水は、通常は、窪みの底に設けてあるドレンなどで下水管に排水される。図１の棧部材は底壁１４を有し、その下面の両側にスペーサ１５，１５を取り付けているが、底壁は無くてもよい。
【００１２】
図２（Ａ），（Ｂ），（Ｃ）の各棧部材が図１の棧部材と異なる主な点は、上壁１２の左右の各排水溝１６，１６の底に排水口１７を長手方向に点在して設けたことである。図２（Ａ）の第２実施例の棧部材は底壁を有さないため、細長い靴底拭い体３０の裏から上壁１２の上面に抜けた水は左右の各排水溝に流入し、その底にある排水口から両側壁１１，１１の間の床などの上に流れ落ちる。
【００１３】
また、図２（Ｂ），（Ｃ）の第３、第４実施例の棧部材は底壁１４を有するため、水は各排水溝１６の底の排水口１７から底壁上に流れ落ち、図２（Ｂ）の第３実施例では底壁の長手方向に点在する第２の排水口１７’から床などに排水され、図２（Ｃ）の第４実施例では両側壁１１，１１の下端部に長手方向に点在する第２の排水口１７’から床などに排水される。
【００１４】
図１、図２の各実施例において、排水溝１６は左右の両側ではなく、左右のどちらか片側に設けるだけでもよい。
【００１５】
図３の第５実施例は、上壁１２に排水口１７を１列又は複数列（図では３列）、長手方向に設けてある。そして、底壁が無いため細長い靴底拭い体の裏から上壁上に出た水は排水口１７から床などの上に流れ落ちる。この実施例でも底壁を設け、上壁の排水口から底壁の上に流れ落ちた水を底壁や両側壁の下端部に設けた第２の排水口から床などに排水してもよい。
【００１６】
図４（Ａ），（Ｂ），（Ｃ）の第６、第７、第８の各実施例の棧部材は、上壁の左右両側とは別の位置、例えば中央部に長手方向の排水溝１６を有し、その底に排水口１７を長手方向に点在させて設けてある。図４（Ａ）の第６実施例の棧部材は底壁を有さないため、水は、図８（Ｄ）の木片からなる細長い靴底拭い体の上を伝わって両側の保持部１３，１３との隙間から細長い靴底拭い体の裏に抜け、上壁の上面を伝わって中央部の排水溝に両側から流入し、その底の排水口１７から両側壁の間の床などの上に流れ落ちる。尚、保持部１３，１３を構成する側壁の上部にも、図示のように排水口１７を設けておくと、この排水口からも一部の水は床などに排水されるので排水を早めることができる。
【００１７】
又、図４（Ｂ），（Ｃ）の第７、第８の各実施例の棧部材は底壁１４を有するため、水は排水溝１６の底の排水口１７から底壁上に流れ落ち、図４（Ｂ）の第７実施例では底壁に長手方向に点在する第２の排水口１７’から床などに排水され、図４（Ｃ）の第８実施例では両側壁の下端部に長手方向に点在する第２の排水口１７’から床などに排水される。
【００１８】
図５（Ａ），（Ｂ），（Ｃ）の各実施例の棧部材は、上壁１２の左右両側と、中央部とに、細長い靴底拭い体からの水が流入する排水溝１６，１６，１６を長手方向に設け、両側の排水溝に流入した水は測壁に長手方向に点在する排水口１７から床などに排水し、中央部の排水溝に流入した水はその底に長手方向に点在する排水口１７から床など排水する。図５(Ａ)の第９実施例の棧部材は底壁を有さないため、中央部の排水溝に流入した水は両側壁の間で床などに流れ落ちる。
【００１９】
また、図５（Ｂ），（Ｃ）の第１０、第１１の各実施例の棧部材は底壁１４を有するため、中央の排水溝に流入し、その排水口１７から底壁上に流れ落ちた水は、図５（Ｂ）の第１０実施例の棧部材は両側壁１１，１１の下端部に長手方向に点在する第２の排水口１７’から床などに排水され、図５（Ｃ）の第１１実施例の棧部材は底壁１４に長手方向に点在する第２の排水口１７’から床などに排水される。
【００２０】
図６（Ａ），（Ｂ）には、上壁１２の中央部を長手方向に浅く窪ませて排水溝１６とし、上壁の左右から下の両側壁の下向き長さは短く、図９の板状連結部材１０３の係合凸部や、図１０の連結帯材１０５の係合爪が係合する係合溝１１’，１１’を形成するだけの扁平な第１２実施例の棧部材が示してある。上壁１２は排水溝１６の両側から下向きに突出する一対の補強壁１６’，１６’を有し、その下端は側壁の下端と同一面になっている。排水溝１６の底には長手方向に点在する排水口１７が設けてある。又、細長い靴底拭い体３０の両側の保持部を構成する両側壁の、上壁より上の部分にも長手方向に点在する排水口１７が設けてある。従って、上壁上に保持された細長い靴底拭い体が靴底から拭い取った水は排水溝の底の排水口と、保持部１３、１３の両側壁の排水口の両方から床などに排水される。
【００２１】
図７の第１３実施例の棧部材は、上壁１２に長手方向に設けられ、底壁を底とする排水溝１６を有し、通水性のスポンジなどで成形された細長い靴底拭い体３０の裏から上壁を伝わって排水溝１６に流入した水は底の排水口１７から床などに排水される。
【００２２】
本発明の簀の子形床マットの棧部材は、上記した図示の実施例に限定されることなく、請求項に記載の技術思想に則った範囲でどの様にも実施することができる。特に棧部材を間隔を保って平行に、隣接状に連結するのは、図９の板状連結材１０３や、図１０の連結帯材１０５，図１１のボルトやワイヤー１０６とワッシヤーやナットに限定されず、他の任意の手段で行ってもよい。
【００２３】
そして、図１（Ａ）、図５（Ｃ）に示すように、上壁自体またはその上面を上に向かって凸のアーチ形にすると、保持部１３，１３で両側部３０’，３０’を保持される細長い靴底拭い体の幅を少し広くすることにより、靴底拭い体の絨毯やブラシなどの靴底拭い部材３２は棧部材の上面からより多く上に突出し、靴底を拭って靴底から水を拭い取る効果をより高めることができる。
【００２４】
更に、図２（Ａ），（Ｂ）、図４（Ｃ）、図７に示すように上壁自体を三角形や四角形などの凸凹にしたり、上壁の上面だけを図２（Ｃ）、図４（Ａ）に示すように同様に凸凹にすると、細長い靴底拭い体３０の下面が水の表面張力で上壁の上面に密着して水が排水溝に流れにくくなるのを防止することができる。尚、凸凹の高低差は少なくてよい。
【００２５】
又、上壁１２には、例えば図２（Ａ）に示すように全面に小さな水抜き孔１８を散在させたり、図２（Ｂ），（Ｃ）、図４（Ｂ）に示すように、幅方向に１列または複数列の小さな水抜き孔１８を長手方向に設けたりしても良い。こうすると、細長い靴底拭い体３０が靴底から拭った水分の一部は上壁にある左右又は中央部の排水溝に流れ込む前に上記水抜き孔から流れ落ち、排水溝の排水口から排水するだけよりは排水効率は高まる。
【００２６】
更に、図３、図５（Ａ）に示したように、細長く、可撓性がある靴底拭い体の幅ｗを、本体の上壁１２の幅Ｗよりも広くすると、靴底拭い体の両側部を保持部１３，１３で保持したとき、上壁１２が平らであっても細長い靴底拭い体は平らな上壁上で凸のアーチ形になる。従って、靴底で踏まれたとき、細長い靴底拭い体は平らな上壁上で平らになっているよりは多く踏み潰され、靴底から拭った水分をより多く裏に抜き、上壁から排水溝１６に流入させ、排水口１７から床などに排水することができる。
【００２７】
更に、図５（Ｄ）に示した様に、排水溝１６や底壁１４の一端または両端に排水用の切り欠き１９を設けたり、棧部材の端面に固定する端面板１１１の、排水溝１６の端面と当接する位置に水抜き窓孔２０、底壁の上面と当接する位置に水抜き窓孔や切り欠き１９を設けてもよい。
【００２８】
長期間の使用により靴底拭い部材が摩耗、摩滅してきたら、端面板を外し、保持部１３から古くなった細長い靴底拭い体を引き抜き、新しいものと交換すればよい。
【００２９】
【発明の効果】
この発明によれば、靴で踏まれた際に細長い靴底拭い体が靴底から拭い取った汚れた水を、細長い靴底拭い体の裏から、細長い靴底拭い体を支持する棧部材の上壁を通じ床などに積極的に排水する。従って、細長い靴底拭い体は靴で踏まれる都度、常に靴底に付着した汚れた水を拭き取り、靴底に付着した汚れた水で床が汚されるのを防止することができる。
【図面の簡単な説明】
【図１】本発明の棧部材の第１実施例で、（Ａ）は断面図、（Ｂ）は一部を断面にした斜面図、（Ｃ）は使用状態の説明図。
【図２】（Ａ）は第２実施例、（Ｂ）は第３実施例、（Ｃ）は第４実施例のそれぞれの断面図。
【図３】第５実施例の断面図。
【図４】（Ａ）は第６実施例、（Ｂ）は第７実施例、（Ｃ）は第８実施例のそれぞれの断面図。
【図５】（Ａ）は第９実施例、（Ｂ）は第１０実施例、（Ｃ）は第１１実施例のそれぞれの断面図、（Ｄ）は第１１実施例の一部を断面にした斜面図。
【図６】（Ａ）は第１２実施例の一部の斜面図、（Ｂ）は同上の連結状態の断面図。
【図７】第１３実施例の断面図。
【図８】（Ａ），（Ｂ），（Ｃ），（Ｄ）は、それぞれ本発明の棧部材に使用できる細長い靴底拭い体の四つの例の斜面図。
【図９】本特許出願人の先行技術の棧部材を使用した床マットの第１例を示し、（Ａ）は斜面図、（Ｂ）は同上の一部の拡大図、（Ｃ）は一部の断面図。
【図１０】本特許出願人の先行技術の棧部材を使用した床マットの第２例を示し、（Ａ）は斜面図、（Ｂ）は同上の一部の拡大図、（Ｃ）は一部の断面図。
【図１１】（Ａ）は公知の床マットの斜面図、（Ｂ）はその一部の拡大断面図。
【符号の説明】
１０    棧部材の本体
１１    測壁
１２    上壁
１３    細長い靴底拭い体の保持部
１４    底壁
１５    スぺーサ
１６    排水溝
１７    排水口
１７’  第二の排水口
１８    上壁の水抜き孔
１９    排水用の切り欠き
２０    水抜き窓
３０    細長い靴底拭い体
３０’  靴底拭い体の両側部
３１    細長い靴底拭い体の不透水質の下層
３２    靴底拭い部材
３３    細長い靴底拭い体の上下方向の貫通孔
３４    トンネル形の溝
３５    山と谷の連続した列
３６    山と谷を横切る幅方向の溝
【図１】
0003840431.tif 000002
【図２】
0003840431.tif 000003
【図３】
0003840431.tif 000004
【図４】
0003840431.tif 000005
【図５】
0003840431.tif 000006
【図６】
0003840431.tif 000007
【図７】
0003840431.tif 000008
【図８】
0003840431.tif 000009
【図９】
0003840431.tif 000010
【図１０】
0003840431.tif 000011
【図１１】
0003840431.tif 000012